(57)【要約】【課題】片手で容易に着脱ができる使い捨て手袋を提供する。【解決手段】本考案の使い捨て手袋１は、親指袋２、人差し指袋３、残りの３本の指を入れる袋４を含む３本指手袋であり、掌部５を覆い、手の甲６の部分は、親指袋２と人差し指袋３の分岐点７から裾部まで末広がりの開口部８があり、片手で着脱が可能である。この手袋１は不織布又は樹脂フィルムで形成するのが好ましい。とくに長繊維不織布で形成されているのが好ましい。開口部はＶ字型の切れ込みとするのが好ましい。【選択図】図１
0003227783.tif 000002
【実用新案登録請求の範囲】
【請求項１】
親指袋、人差し指袋、残りの３本の指を入れる袋を含む３本指手袋であり、
掌部を覆い、手の甲の部分は親指袋と人差し指袋の分岐点から裾部まで末広がりの開口部があり、
片手で着脱が可能であることを特徴とする使い捨て手袋。
【請求項２】
前記開口部は、Ｖ字型の切れ込みである請求項１に記載の使い捨て手袋。
【請求項３】
前記手袋は、不織布又は樹脂フィルムで形成されている請求項１又は２に記載の使い捨て手袋。
【請求項４】
前記手袋は、単位面積当たりの質量（目付）が２０〜２６０ｇ／ｍ２の不織布製である請求項１〜３のいずれか１項に記載の使い捨て手袋。
【請求項５】
前記手袋は、長繊維不織布で形成されている請求項１〜４のいずれか１項に記載の使い捨て手袋。
【請求項６】
前記手袋は、タッチパネルに導通可能な薄手不織布で形成されている請求項１〜５のいずれか１項に記載の使い捨て手袋。
【請求項７】
前記手袋は、裏返すと左右逆の手用手袋となる請求項１〜６のいずれか１項に記載の使い捨て手袋。
【考案の詳細な説明】
【技術分野】
【０００１】
本考案は、使い捨て手袋に関する。
【背景技術】
【０００２】
従来から使い捨て手袋（ディスポーザブル手袋ともいう。）は、汚物を処理したり、感染を防止するため、様々な用途で使われている。例えば医療関係、介護関係、ペットの汚物処理などである。特許文献１にはポリエチレンシート製で、裾部にＵ字系の開口部を含み、残りの結束片を持って着脱が可能な５本指手袋が提案されている。特許文献２には、裾部に矩形の開口部を含み、残りのタブを持って着脱が可能な５本指手袋が提案されている。
【先行技術文献】
【特許文献】
【０００３】
【特許文献１】特開２００４−２２５２２５号公報
【特許文献２】特表２０２０−５１１９６１号公報
【考案の概要】
【考案が解決しようとする課題】
【０００４】
しかし、従来の使い捨て手袋は、両手を使わないと着脱ができず、不便であるという問題があった。特に、最近のウィルスによる接触感染を防止するためには、片手により着脱できる使い捨て手袋が求められている。
【０００５】
本考案は、上記従来の問題を解決するため、片手で容易に着脱ができる使い捨て手袋を提供する。
【課題を解決するための手段】
【０００６】
本考案の使い捨て手袋は、親指袋、人差し指袋、残りの３本の指を入れる袋を含む３本指手袋であり、掌部を覆い、手の甲の部分は親指袋と人差し指袋の分岐点から裾部まで末広がりの開口部があり、片手で着脱が可能であることを特徴とする。
【考案の効果】
【０００７】
本考案の使い捨て手袋は、親指袋、人差し指袋、残りの３本の指を入れる袋を含む３本指手袋であり、掌部を覆っているため、親指と人差し指で物体を摘まむ操作、人差し指で物体を押す操作、及び掌部で物体を握る操作ができる。筆記もできる。また、手の甲の部分は親指袋と人差し指袋の分岐点から裾部まで末広がりの開口部があり、片手で着脱が可能である。これにより、例えばドアノブ、エレベータなどのボタン、エスカレーターなどのベルト、交通機関の手すりや吊革などに直接素手で触れることが避けられ、ウィルスによる接触感染を防止する効果がある。
【図面の簡単な説明】
【０００８】
【図１】図１は本考案の一実施例の手袋の装着状態を示す模式的平面図である。
【図２】図２は同、右手を入れた装着状態を示す模式的説明図である。
【図３】図３Ａは同、右手を入れた装着状態から手を握った状態、図３Ｂは同、親指を外した状態、図３Ｃは同、脱離状態を示す模式的説明図である。
【図４】図４は同、右手用手袋の写真である。
【図５】図５は同、別の実施例の左手用手袋の写真である。
【考案を実施するための形態】
【０００９】
本考案は、親指袋、人差し指袋、残りの３本の指を入れる袋を含む３本指手袋であり、掌部を覆っている。これにより、親指と人差し指で物体を摘まむ操作、人差し指で物体を押す操作、及び掌部で物体を握る操作ができる。筆記もできる。したがって、手の基本動作は満足される。一般的には５本指手袋が主流であるが、５本指手袋は着脱が困難である。また、２本指のミトン型手袋も一般的であるが、指の動きが制限される。したがって、３本指手袋とした点には特別の選択性がある。
【００１０】
前記手袋は、手の甲の部分は親指袋と人差し指袋の分岐点から裾部まで末広がりの開口部がある。好ましくは、手の甲の部分は裾部から親指袋と人差し指袋の分岐点までＶ字状に開放された切れ込みを入れてある。これにより、例えばドアノブ、エレベータなどのボタン、エスカレーターなどのベルト、交通機関の手すりや吊革などに直接素手で触れることが避けられる。また、装着した手で着脱でき、他の手を汚さずに処分できる。すなわち、脱離する際には握る動作をし、外側を触ることなく捨てることができる。全体としてウィルスによる接触感染を防止する効果がある。
【００１１】
前記手袋は、不織布、樹脂フィルムなどで形成するのが好ましい。不織布、樹脂フィルムなどは安価で使い捨てに適している。この中でも不織布は通気性があり、適度な摩擦もあり、使い勝手が良い。不織布としては、単位面積当たりの質量（目付）が２０〜２６０ｇ／ｍ２の不織布が好ましい。目付が前記の範囲であれば、平均厚さも０．１〜０．６ｍｍとなり、薄くて装着感もよく、物体を触ったり摘まむ際の触感もよい。また、各種タッチパネルに導通可能である。前記手袋は不織布又は樹脂フィルムで形成されていると、アルコール消毒ができ、洗剤で洗うこともでき、何回か使用することもできる。
【００１２】
前記不織布は、短繊維を用いた乾式（カーディング法、エアレイ法）、湿式、長繊維を用いたスパンボンド、メルトブローの不織布があり、繊維同士の結合方法により、ケミカルボンド、サーマルボンド、スパンレース（高圧水流法）、ニードルパンチ、ステッチボンドなどがあるが、この中でも薄くて衛生的であり、コストも安価なスパンボンド不織布、メルトブロー不織布、スパンレース不織布、サーマルボンド不織布が好ましい。不織布であっても緻密に形成されているもの、あるいは樹脂フィルムとラミネートされているものはウイルスの侵入を防げる。この中でも長繊維不織布が好ましい。
【００１３】
不織布を構成する繊維は、ポリエチレンテレフタレート（ＰＥＴ）、ポリエステル共重合体、ナイロン、ポリプロピレン、プロピレン共重合体などの合成繊維が好ましい。構成繊維の平均繊度は０．０１〜１０decitexが好ましい。
【００１４】
樹脂フィルムは、例えばポリエチレン、ポリプロピレン、ポリスチレンあるいはこれらの共重合体フィルムが使用できる。樹脂フィルムの厚さは、５〜３０μｍが好ましい。
【００１５】
前記不織布又は樹脂フィルムは型紙に合わせて切断するか、金型で切断し、２枚を重ねて周囲を縫製するか溶着して手袋とする。柔軟性からすると不織布を使用して縫製するのが好ましい。この手袋は裏返すと左右逆の手用手袋となる。このようにするとコストを安く製造できる。
【００１６】
本考案の使い捨て手袋は、個人で所有するか、あるいは病院、各種施設、百貨店、駅など不特定多数の人が集まる場所の入り口などに備えおくことにより、簡単に装着可能で、例えばドアノブ、エレベータなどのボタン、エスカレーターなどのベルト、交通機関の手すりや吊革などに直接素手で触れることが避けられる。また、装着した手で着脱でき、他の手を汚さずに処分できる。
【００１７】
以下図面により本考案を説明する。図１は本考案の一実施例の使い捨て手袋の装着状態を示す模式的平面図である。この使い捨て手袋１は、親指袋２と、人差し指袋３と、残りの３本の指を入れる袋４の３本指手袋であり、掌部５と、手の甲の部分６で形成され、周囲は縫製している。手の甲の部分６は、親指袋と人差し指袋の分岐点７から裾部まで末広がりの開口部（Ｖ字状切れ込み）８がある。
【００１８】
図２は同、右手を入れた装着状態を示す模式的平面図である。切れ込み８から右手で装着できる。図３Ａは同、右手を入れた装着状態から手を握った状態、図３Ｂは同、親指を外した状態、図３Ｃは同、脱離状態を示す模式的説明図である。手を握ると、親指又は中手指関節（ＭＰ）が切れ込み８から飛び出し、片手で脱離できる。
【００１９】
図４は右手用手袋の写真である。図５は同、別の実施例の左手用手袋の写真である。右手用手袋を裏返して左手用手袋としたものである。
【実施例】
【００２０】
以下実施例により本考案をさらに具体的に説明する。なお、本考案は下記の実施例に限定されるものではない。
【００２１】
（実施例１）
不織布として下記のものを用いた。
（１）ポリエステル（ＰＥＴ）製長繊維不織布
（２）単位面積当たりの質量（目付）２５ｇ／ｍ２
（３）平均厚さ０．１８ｍｍ
この不織布を用いて型紙に合わせて切断し、２枚を重ねて周囲を縫製し、手の甲の部分６の裾部から親指袋と人差し指袋の分岐点７までＶ字状に開放された切れ込み８を入れ、図１及び図４に示す右手用手袋を製造した。得られた手袋の１枚重さは約２ｇであった。
この手袋は、図２に示す装着状態に片手で装着でき、図３に示すように片手で脱離が可能であった。
【００２２】
（実施例２）
不織布として下記のものを用いた。
（１）ポリエステル（ＰＥＴ）製長繊維不織布
（２）単位面積当たりの質量（目付）５８ｇ／ｍ２
（３）平均厚さ０．２４ｍｍ
この不織布を用いて型紙に合わせて切断し、２枚を重ねて周囲を縫製し、手の甲の部分６の裾部から親指袋と人差し指袋の分岐点７までＶ字状に開放された切れ込み８を入れ、図１に示す右手用手袋を製造した。この右手用手袋を裏返しにしたものが図５に示す左手用手袋である。得られた手袋の１枚重さは約２．１ｇであった。
この手袋は、図２に示す装着状態に片手で装着でき、図３に示すように片手で脱離が可能であった。
【産業上の利用可能性】
【００２３】
本考案の使い捨て手袋は、個人で所有するか、あるいは病院、各種施設、百貨店、駅など不特定多数の人が集まる場所の入り口などに備えおくのに好適である。
【符号の説明】
【００２４】
１  使い捨て手袋
２  親指袋
３  人差し指袋
４  残りの３本の指を入れる袋
５  掌部
６  手の甲部分
７  親指袋と人差し指袋の分岐点
８  開口部（Ｖ字状切れ込み）
【図１】
0003227783.tif 000003
【図２】
0003227783.tif 000004
【図３】
0003227783.tif 000005
【図４】
0003227783.tif 000006
【図５】
0003227783.tif 000007